(57)【要約】【課題】屋内に設置されているか屋外に設置されているかに関わらず、無線リンク終端装置が正当な場所に設置されているか否かの判定を、簡単に行える無線通信システム、無線リンク終端装置、サーバ、無線リンク終端装置の設置場所の正当性を判定する方法、無線リンク終端装置のプログラム、サーバのプログラムを提供する。【解決手段】無線リンク終端装置１００は、無線リンク終端装置１００の正当な設置場所における基地局からの無線信号の標準的な受信状態に関する情報である基準受信情報と、基地局を識別する識別情報とを含む周辺基地局リストを記憶するメモリ部１０３を備える。また、無線リンク終端装置１００は、無線通信部１０１により受信した基地局からの無線信号とメモリ部１０３が記憶している周辺基地局リストとを用いて、無線リンク終端装置１００が設置されている場所の正当性を判定する制御部１０２を備える。【選択図】図１
2011166690.tif 000002
【特許請求の範囲】
【請求項１】
基地局と、移動無線端末と、前記基地局からの無線信号を受信する無線通信手段を有する無線リンク終端装置と、前記無線リンク終端装置と通信可能に接続されたサーバと、
を備える無線通信システムであって、
前記無線リンク終端装置及び前記サーバのいずれかに設けられ、前記無線リンク終端装置の正当な設置場所における前記基地局からの無線信号の標準的な受信状態に関する情報である基準受信情報と、前記基地局を識別する識別情報とを含む周辺基地局リストを記憶するリスト記憶手段と、
前記無線リンク終端装置及び前記サーバのいずれかに設けられ、前記無線通信手段により受信した前記基地局からの無線信号と前記リスト記憶手段が記憶している前記周辺基地局リストとを用いて、前記無線リンク終端装置が設置されている場所の正当性を判定する制御手段と、
を備えること、
を特徴とする無線通信システム。
【請求項２】
請求項１に記載の無線通信システムにおいて、
前記制御手段は、前記無線リンク終端装置が設置されている位置が正当であると判定したときには、前記無線リンク終端装置が前記移動無線端末との間で通信することを許可すること、
を特徴とする無線通信システム。
【請求項３】
請求項１又は請求項２に記載の無線通信システムにおいて、
前記制御手段は、前記無線リンク終端装置が設置されている位置が正当ではないと判定したときには、前記無線リンク終端装置が前記移動無線端末との間で通信するための電波の送信を止めること、
を特徴とする無線通信システム。
【請求項４】
請求項１から請求項３までのいずれか１項に記載の無線通信システムにおいて、
前記制御手段は、前記無線リンク終端装置が設置されている位置が正当ではないと判定したときには、前記無線リンク終端装置の無線通信手段に対して、前記基地局からの無線信号を受信し直しを実行させること、
を特徴とする無線通信システム。
【請求項５】
請求項１から請求項４までのいずれか１項に記載の無線通信システムにおいて、
前記周辺基地局リストには、標準的な受信状態に関する情報として、前記無線リンク終端装置の正当な設置場所において受信可能な基地局の識別情報と受信可能な基地局の数とを含み、
前記制御手段は、前記無線リンク終端装置が受信した前記基地局の識別情報と前記基地局の数とを用いて、前記無線リンク終端装置が設置されている場所の正当性を判定すること、
を特徴とする無線通信システム。
【請求項６】
請求項１から請求項５までのいずれか１項に記載の無線通信システムにおいて、
前記周辺基地局リストには、標準的な受信状態に関する情報として、前記無線リンク終端装置の正当な設置場所において受信可能な基地局からの前記無線信号の受信電力を含み、
前記制御手段は、前記無線リンク終端装置が受信した前記基地局からの前記無線信号の受信電力を用いて、前記無線リンク終端装置が設置されている場所の正当性を判定すること、
を特徴とする無線通信システム。
【請求項７】
移動無線端末との通信に使用する電波を発信する無線リンク終端装置であって、
基地局からの無線信号を受信する無線通信手段と、
当該無線リンク終端装置の正当な設置場所における前記基地局からの無線信号の標準的な受信状態に関する情報である基準受信情報、及び、前記基地局を識別する識別情報を含む周辺基地局リストを記憶するリスト記憶手段と、
前記無線通信手段により受信した前記基地局からの無線信号と前記リスト記憶手段が記憶している前記周辺基地局リストとを用いて、当該無線リンク終端装置が設置されている場所の正当性を判定する制御手段と、
を備える無線リンク終端装置。
【請求項８】
移動無線端末との通信に使用する電波を発信する無線リンク終端装置と通信可能に接続されたサーバであって、
前記無線リンク終端装置との間で通信を行い、前記無線リンク終端装置が受信した基地局からの無線信号を取得する無線リンク終端装置通信手段と、
前記無線リンク終端装置の正当な設置場所における基地局からの無線信号の標準的な受信状態に関する情報である基準受信情報と、前記基地局を識別する識別情報とを含む周辺基地局リストを記憶するリスト記憶手段と、
前記無線リンク終端装置が受信した前記基地局からの無線信号と前記リスト記憶手段が記憶している前記周辺基地局リストとを用いて、前記無線リンク終端装置が設置されている場所の正当性を判定する制御手段と、
を備えること、
を特徴とするサーバ。
【請求項９】
基地局と、移動無線端末と、前記移動無線端末との通信に使用する電波を発信する無線リンク終端装置と、前記無線リンク終端装置と通信可能に接続されたサーバと、
を備える無線通信システムにおいて、無線リンク終端装置の設置場所の正当性を判定する方法であって、
前記無線リンク終端装置の正当な設置場所における前記基地局からの無線信号の標準的な受信状態に関する情報である基準受信情報と、前記基地局を識別する識別情報とを含む周辺基地局リストを記憶し、
前記無線リンク終端装置が受信した前記基地局からの無線信号と記憶している前記周辺基地局リストとを用いて、前記無線リンク終端装置が設置されている場所の正当性を判定すること、
を特徴とする無線リンク終端装置の設置場所の正当性を判定する方法。
【請求項１０】
移動無線端末との通信に使用する電波を発信する無線リンク終端装置のプログラムであって、
前記無線リンク終端装置のコンピュータを、
基地局からの無線信号を受信する無線通信手段と、
当該無線リンク終端装置の正当な設置場所における前記基地局からの無線信号の標準的な受信状態に関する情報である基準受信情報、及び、前記基地局を識別する識別情報を含む周辺基地局リストを記憶するリスト記憶手段と、
前記無線通信手段により受信した前記基地局からの無線信号と前記リスト記憶手段が記憶している前記周辺基地局リストとを用いて、当該無線リンク終端装置が設置されている場所の正当性を判定する制御手段として機能させるための無線リンク終端装置のプログラム。
【請求項１１】
移動無線端末との通信に使用する電波を発信する無線リンク終端装置と通信可能に接続されたサーバのプログラムであって、
前記サーバのコンピュータを、
前記無線リンク終端装置との間で通信を行い、前記無線リンク終端装置が受信した基地局からの無線信号を取得する無線リンク終端装置通信手段と、
前記無線リンク終端装置の正当な設置場所における基地局からの無線信号の標準的な受信状態に関する情報である基準受信情報と、前記基地局を識別する識別情報とを含む周辺基地局リストを記憶するリスト記憶手段と、
前記無線リンク終端装置が受信した前記基地局からの無線信号と前記リスト記憶手段が記憶している前記周辺基地局リストとを用いて、前記無線リンク終端装置が設置されている場所の正当性を判定する制御手段として機能させるためのサーバのプログラム。
【発明の詳細な説明】
【技術分野】
【０００１】
本発明は、アクセスポイント等の無線リンク終端装置を含む無線通信システム、無線リンク終端装置、サーバ、無線リンク終端装置の設置場所の正当性を判定する方法、無線リンク終端装置のプログラム、サーバのプログラムに関するものである。
【背景技術】
【０００２】
無線通信システムにおいて、フェムトセル、ピコセル、無線ＬＡＮアクセスポイント等、利用者自身によって設置が可能な無線リンク終端装置の使用が広まっている。これら無線リンク終端装置は、電波を送信する装置であるため、装置によっては電波法等の制約から、当該装置の設置位置が正しいことを確認する必要がある。無線リンク終端装置の設置位置の正当性は、事前に登録された設置位置と、実際の設置位置を取得し、これらを比較することにより判断できる。
【０００３】
実際の設置位置を取得する手法としては、例えば、特許文献１に記載されているようにＧＰＳ（Global Positioning System）を利用した手法が知られている。
また、ＧＰＳ情報に加えてサーバより測位補助情報を取得して、測位精度を向上させるＡ−ＧＰＳ（Assisted-GPS）と呼ばれる手法が知られている（例えば、特許文献２）。
さらに、専用ソフトウェアを備えた無線ＬＡＮ機器を利用し、取得した近傍の無線アクセスポイント装置の電測情報（ＭＡＣアドレス、電界強度等の情報）を専用サーバに送信し、無線アクセスポイント装置に関する情報がサーバに蓄えられている電測情報データベースに登録されていれば、推測される位置情報等を無線ＬＡＮ機器に提供するPlaceEngineと呼ばれる技術が知られている（例えば、非特許文献１）。
【先行技術文献】
【特許文献】
【０００４】
【特許文献１】特開２００９−３０２９２６号公報
【特許文献２】特開２００２−１９５８４６号公報
【非特許文献】
【０００５】
【非特許文献１】暦本純一、塩野崎敦、末吉隆彦、味八木崇  ”ＰｌａｃｅＥｎｇｉｎｅ：実世界集合知に基づくＷｉＦｉ位置情報基盤”  「インターネットコンファレンス２００６」  ｐｐ．９５−１０４，２００６年
【発明の概要】
【発明が解決しようとする課題】
【０００６】
しかし、ＧＰＳを用いた手法、及び、Ａ−ＧＰＳを用いた手法では、屋内等では受信が困難なため、位置情報が取得できない場合があった。また、ＧＰＳ受信機を搭載することによる装置コストの上昇が避けられないという問題があった。
【０００７】
また、PlaceEngineを用いた手法では、サーバが、膨大な基地局のリストと位置情報とを管理及び保持する必要があるという問題があった。
【０００８】
本発明の課題は、屋内に設置されているか屋外に設置されているかに関わらず、無線リンク終端装置が正当な場所に設置されているか否かの判定を、簡単に行える無線通信システム、無線リンク終端装置、サーバ、無線リンク終端装置の設置場所の正当性を判定する方法、無線リンク終端装置のプログラム、サーバのプログラムを提供することである。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明は、基地局（ＢＳ１，ＢＳ２，ＢＳ３，・・・）と、移動無線端末（５００）と、前記基地局からの無線信号を受信する無線通信手段（１０１，２０１）を有する無線リンク終端装置（１００，２００）と、前記無線リンク終端装置と通信可能に接続されたサーバ（３００）と、を備える無線通信システムであって、前記無線リンク終端装置及び前記サーバのいずれかに設けられ、前記無線リンク終端装置の正当な設置場所における前記基地局からの無線信号の標準的な受信状態に関する情報である基準受信情報と、前記基地局を識別する識別情報とを含む周辺基地局リストを記憶するリスト記憶手段（１０３，３０３）と、前記無線リンク終端装置及び前記サーバのいずれかに設けられ、前記無線通信手段により受信した前記基地局からの無線信号と前記リスト記憶手段が記憶している前記周辺基地局リストとを用いて、前記無線リンク終端装置が設置されている場所の正当性を判定する制御手段（１０２，３０２）とを備えることを特徴とする無線通信システムを提案している。
【００１１】
この発明によれば、リスト記憶手段は、無線リンク終端装置及びサーバのいずれかに設けられ、無線リンク終端装置の正当な設置場所における基地局からの無線信号の標準的な受信状態に関する情報である基準受信情報と、基地局を識別する識別情報とを含む周辺基地局リストを記憶する。制御手段は、無線リンク終端装置及びサーバのいずれかに設けられ、無線通信手段により受信した基地局からの無線信号とリスト記憶手段が記憶している周辺基地局リストとを用いて、無線リンク終端装置が設置されている場所の正当性を判定する。したがって、屋内に設置されているか屋外に設置されているかに関わらず、無線リンク終端装置が正当な場所に設置されているか否かの判定を、簡単に行える。
【００１２】
（２）本発明は、（１）に記載の無線通信システムにおいて、前記制御手段（１０２，３０２）は、前記無線リンク終端装置（１００，２００）が設置されている位置が正当であると判定したときには、前記無線リンク終端装置が前記移動無線端末（５００）との間で通信することを許可することを特徴とする無線通信システムを提案している。
【００１３】
この発明によれば、制御手段は、無線リンク終端装置が設置されている位置が正当であると判定したときには、無線リンク終端装置が移動無線端末との間で通信することを許可する。したがって、正当な位置に無線リンク終端装置が設置されていれば、通信が可能となる。
【００１４】
（３）本発明は、（１）又は（２）に記載の無線通信システムにおいて、前記制御手段（１０２，３０２）は、前記無線リンク終端装置（１００，２００）が設置されている位置が正当ではないと判定したときには、前記無線リンク終端装置が前記移動無線端末（５００）との間で通信するための電波の送信を止めることを特徴とする無線通信システムを提案している。
【００１５】
この発明によれば、制御手段は、無線リンク終端装置が設置されている位置が正当ではないと判定したときには、無線リンク終端装置が移動無線端末との間で通信するための電波の送信を止める。したがって、不正な位置に無線リンク終端装置が設置されているときには、不正な電波の送信を防止できる。
【００１６】
（４）本発明は、（１）から（３）までのいずれかに記載の無線通信システムにおいて、前記制御手段（１０２，３０２）は、前記無線リンク終端装置（１００，２００）が設置されている位置が正当ではないと判定したときには、前記無線リンク終端装置の無線通信手段（１０１，２０１）に対して、前記基地局（ＢＳ１，ＢＳ２，ＢＳ３，・・・）からの無線信号を受信し直しを実行させることを特徴とする無線通信システムを提案している。
【００１７】
この発明によれば、制御手段は、無線リンク終端装置が設置されている位置が正当ではないと判定したときには、無線リンク終端装置の無線通信手段に対して、基地局からの無線信号を受信し直しを実行させる。したがって、正当な位置に設置されているにも関わらず、電波状況が悪い等の影響で誤って不正な位置に設置されていると判断してしまったとしても、自動的に判定をやり直すことができる。
【００１８】
（５）本発明は、（１）から（４）までのいずれかに記載の無線通信システムにおいて、前記周辺基地局リストには、標準的な受信状態に関する情報として、前記無線リンク終端装置（１００，２００）の正当な設置場所において受信可能な基地局（ＢＳ１，ＢＳ２，ＢＳ３，・・・）の識別情報と受信可能な基地局の数とを含み、前記制御手段（１０２，３０２）は、前記無線リンク終端装置が受信した前記基地局の識別情報と前記基地局の数とを用いて、前記無線リンク終端装置が設置されている場所の正当性を判定することを特徴とする無線通信システムを提案している。
【００１９】
この発明によれば、周辺基地局リストには、標準的な受信状態に関する情報として、無線リンク終端装置の正当な設置場所において受信可能な基地局の識別情報と受信可能な基地局の数とを含む。制御手段は、無線リンク終端装置が受信した基地局の識別情報と基地局の数とを用いて、無線リンク終端装置が設置されている場所の正当性を判定する。したがって、無線リンク終端装置が設置されている場所の正当性の判定の処理を簡単にできる。
【００２０】
（６）本発明は、（１）から（５）までのいずれかに記載の無線通信システムにおいて、前記周辺基地局リストには、標準的な受信状態に関する情報として、前記無線リンク終端装置（１００，２００）の正当な設置場所において受信可能な基地局（ＢＳ１，ＢＳ２，ＢＳ３，・・・）からの前記無線信号の受信電力を含み、前記制御手段（１０２，３０２）は、前記無線リンク終端装置が受信した前記基地局からの前記無線信号の受信電力を用いて、前記無線リンク終端装置が設置されている場所の正当性を判定することを特徴とする無線通信システムを提案している。
【００２１】
この発明によれば、周辺基地局リストには、標準的な受信状態に関する情報として、無線リンク終端装置の正当な設置場所において受信可能な基地局からの無線信号の受信電力を含む。制御手段は、無線リンク終端装置が受信した基地局からの無線信号の受信電力を用いて、無線リンク終端装置が設置されている場所の正当性を判定する。したがって、無線信号の受信電力を利用してより精度の高い設置場所の正当性判定を行える。
【００２２】
（７）本発明は、移動無線端末（５００）との通信に使用する電波を発信する無線リンク終端装置（１００）であって、基地局（ＢＳ１，ＢＳ２，ＢＳ３，・・・）からの無線信号を受信する無線通信手段（１０１）と、当該無線リンク終端装置の正当な設置場所における前記基地局からの無線信号の標準的な受信状態に関する情報である基準受信情報、及び、前記基地局を識別する識別情報を含む周辺基地局リストを記憶するリスト記憶手段（１０３）と、前記無線通信手段により受信した前記基地局からの無線信号と前記リスト記憶手段が記憶している前記周辺基地局リストとを用いて、当該無線リンク終端装置が設置されている場所の正当性を判定する制御手段（１０２）とを備える無線リンク終端装置を提案している。
【００２３】
この発明によれば、無線通信手段は、基地局からの無線信号を受信する。リスト記憶手段は、無線リンク終端装置の正当な設置場所における基地局からの無線信号の標準的な受信状態に関する情報である基準受信情報、及び、基地局を識別する識別情報を含む周辺基地局リストを記憶する。制御手段は、無線通信手段により受信した基地局からの無線信号とリスト記憶手段が記憶している周辺基地局リストとを用いて、無線リンク終端装置が設置されている場所の正当性を判定する。したがって、屋内に設置されているか屋外に設置されているかに関わらず、無線リンク終端装置が正当な場所に設置されているか否かの判定を、簡単に行える。
【００２４】
（８）本発明は、移動無線端末（５００）との通信に使用する電波を発信する無線リンク終端装置（２００）と通信可能に接続されたサーバ（３００）であって、前記無線リンク終端装置との間で通信を行い、前記無線リンク終端装置が受信した基地局（ＢＳ１，ＢＳ２，ＢＳ３，・・・）からの無線信号を取得する無線リンク終端装置通信手段（３０１）と、前記無線リンク終端装置の正当な設置場所における基地局からの無線信号の標準的な受信状態に関する情報である基準受信情報と、前記基地局を識別する識別情報とを含む周辺基地局リストを記憶するリスト記憶手段（３０３）と、前記無線リンク終端装置が受信した前記基地局からの無線信号と前記リスト記憶手段が記憶している前記周辺基地局リストとを用いて、前記無線リンク終端装置が設置されている場所の正当性を判定する制御手段（３０２）とを備えることを特徴とするサーバを提案している。
【００２５】
この発明によれば、無線リンク終端装置通信手段は、無線リンク終端装置との間で通信を行い、無線リンク終端装置が受信した基地局からの無線信号を取得する。リスト記憶手段は、無線リンク終端装置の正当な設置場所における基地局からの無線信号の標準的な受信状態に関する情報である基準受信情報と、基地局を識別する識別情報とを含む周辺基地局リストを記憶する。制御手段は、無線リンク終端装置が受信した基地局からの無線信号とリスト記憶手段が記憶している周辺基地局リストとを用いて、無線リンク終端装置が設置されている場所の正当性を判定する。したがって、無線リンク終端装置へ負担を掛けることなく、無線リンク終端装置が正当な場所に設置されているか否かの判定を、簡単に行える。
【００２６】
（９）基地局（ＢＳ１，ＢＳ２，ＢＳ３，・・・）と、移動無線端末（５００）と、前記移動無線端末との通信に使用する電波を発信する無線リンク終端装置（１００，２００）と、前記無線リンク終端装置と通信可能に接続されたサーバ（３００）と、を備える無線通信システムにおいて、無線リンク終端装置の設置場所の正当性を判定する方法であって、前記無線リンク終端装置の正当な設置場所における前記基地局からの無線信号の標準的な受信状態に関する情報である基準受信情報と、前記基地局を識別する識別情報とを含む周辺基地局リストを記憶し、前記無線リンク終端装置が受信した前記基地局からの無線信号と記憶している前記周辺基地局リストとを用いて、前記無線リンク終端装置が設置されている場所の正当性を判定することを特徴とする無線リンク終端装置の設置場所の正当性を判定する方法を提案している。
【００２７】
この発明によれば、無線リンク終端装置の設置場所の正当性を判定する方法は、無線リンク終端装置の正当な設置場所における基地局からの無線信号の標準的な受信状態に関する情報である基準受信情報と、基地局を識別する識別情報とを含む周辺基地局リストを記憶し、無線リンク終端装置が受信した基地局からの無線信号と記憶している周辺基地局リストとを用いて、無線リンク終端装置が設置されている場所の正当性を判定する。したがって、屋内に設置されているか屋外に設置されているかに関わらず、無線リンク終端装置が正当な場所に設置されているか否かの判定を、簡単に行える。
【００２８】
（１０）本発明は、移動無線端末（５００）との通信に使用する電波を発信する無線リンク終端装置（１００）のプログラムであって、前記無線リンク終端装置のコンピュータを、基地局（ＢＳ１，ＢＳ２，ＢＳ３，・・・）からの無線信号を受信する無線通信手段（１０１）と、当該無線リンク終端装置の正当な設置場所における前記基地局からの無線信号の標準的な受信状態に関する情報である基準受信情報、及び、前記基地局を識別する識別情報を含む周辺基地局リストを記憶するリスト記憶手段（１０３）と、前記無線通信手段により受信した前記基地局からの無線信号と前記リスト記憶手段が記憶している前記周辺基地局リストとを用いて、当該無線リンク終端装置が設置されている場所の正当性を判定する制御手段（１０２）として機能させるための無線リンク終端装置のプログラムを提案している。
【００２９】
この発明によれば、無線リンク終端装置のプログラムは、無線リンク終端装置のコンピュータを、基地局からの無線信号を受信する無線通信手段と、無線リンク終端装置の正当な設置場所における基地局からの無線信号の標準的な受信状態に関する情報である基準受信情報、及び、基地局を識別する識別情報を含む周辺基地局リストを記憶するリスト記憶手段と、無線通信手段により受信した基地局からの無線信号とリスト記憶手段が記憶している周辺基地局リストとを用いて、無線リンク終端装置が設置されている場所の正当性を判定する制御手段として機能させる。したがって、屋内に設置されているか屋外に設置されているかに関わらず、無線リンク終端装置が正当な場所に設置されているか否かの判定を、簡単に行える。
【００３０】
（１１）本発明は、移動無線端末（５００）との通信に使用する電波を発信する無線リンク終端装置（２００）と通信可能に接続されたサーバ（３００）のプログラムであって、前記サーバのコンピュータを、前記無線リンク終端装置との間で通信を行い、前記無線リンク終端装置が受信した基地局（ＢＳ１，ＢＳ２，ＢＳ３，・・・）からの無線信号を取得する無線リンク終端装置通信手段（３０１）と、前記無線リンク終端装置の正当な設置場所における基地局からの無線信号の標準的な受信状態に関する情報である基準受信情報と、前記基地局を識別する識別情報とを含む周辺基地局リストを記憶するリスト記憶手段（３９３）と、前記無線リンク終端装置が受信した前記基地局からの無線信号と前記リスト記憶手段が記憶している前記周辺基地局リストとを用いて、前記無線リンク終端装置が設置されている場所の正当性を判定する制御手段（３０２）として機能させるためのサーバのプログラムを提案している。
【００３１】
この発明によれば、サーバのプログラムは、サーバのコンピュータを、無線リンク終端装置との間で通信を行い、無線リンク終端装置が受信した基地局からの無線信号を取得する無線リンク終端装置通信手段と、無線リンク終端装置の正当な設置場所における基地局からの無線信号の標準的な受信状態に関する情報である基準受信情報と、基地局を識別する識別情報とを含む周辺基地局リストを記憶するリスト記憶手段と、無線リンク終端装置が受信した基地局からの無線信号とリスト記憶手段が記憶している周辺基地局リストとを用いて、無線リンク終端装置が設置されている場所の正当性を判定する制御手段として機能させる。したがって、無線リンク終端装置へ負担を掛けることなく、無線リンク終端装置が正当な場所に設置されているか否かの判定を、簡単に行える。
【発明の効果】
【００３２】
本発明によれば、制御手段は、位置情報を取得する必要がないため、室内等のＧＰＳ衛星からの信号を受信することが難しい場合においても、無線リンク終端装置が正しい場所に設置されているか否かの判定を簡単に行える。また、位置情報を管理及び保持することなく、無線リンク終端装置が正しい場所に設置されているか否かの判定が可能である。
【図面の簡単な説明】
【００３３】
【図１】本発明による通信システムの第１実施形態を示す図である。
【図２】事前処理を示すフローチャートである。
【図３】設置場所の判定動作を示すフローチャートである。
【図４】周辺基地局リストにおける基地局配置を例示する図である。
【図５】不正な位置に無線リンク終端装置１００がある場合の実際の受信状況を例示する図である。
【図６】評価関数例１−１を説明するための、レベル分けを行った想定受信電力と実際の受信電力の例を示す図である。
【図７】評価関数例１−３を説明するためのレベル分けを行った想定受信電力と実際の受信電力の例を示す図である。
【図８】評価関数例２を説明するためのレベル分けを行った想定受信電力と実際の受信電力の例を示す図である。
【図９】評価関数例３における判定方法を説明する図である。
【図１０】第３実施形態の評価関数が行う判定方法を説明する図である。
【図１１】通信システムの第４実施形態を示す図である。
【発明を実施するための形態】
【００３４】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３５】
（第１実施形態）
図１は、本発明による通信システムの第１実施形態を示す図である。
第１実施形態の通信システムは、無線リンク終端装置１００と、移動無線端末５００と、複数の基地局（ＢＳ１，ＢＳ２，ＢＳ３，・・・）とを備えている。
【００３６】
無線リンク終端装置１００は、無線通信部１０１と、制御部１０２と、メモリ部１０３とを備える装置である。本実施形態の無線リンク終端装置１００は、利用者自身によって設置が可能な装置、あるいは容易に位置を変更することが可能な装置であり、基地局と移動無線端末５００との間で無線通信を中継するフェムトセル、ピコセル、無線ＬＡＮアクセスポイント等の装置である。
【００３７】
無線通信部１０１は、アンテナ１０１ａを介して基地局からの無線信号を受信する無線通信手段である。また、無線通信部１０１は、移動無線端末５００との通信も行う。
制御部１０２は、無線通信部１０１により受信した基地局からの無線信号と、後述のメモリ部１０３が記憶している周辺基地局リストとを用いて、無線リンク終端装置１００が設置されている場所の正当性を判定する制御手段である。また、制御部１０２は、無線リンク終端装置１００全体の制御も行う。
メモリ部１０３は、周辺基地局リストを記憶するリスト記憶手段である。ここで、周辺基地局リストとは、無線リンク終端装置１００の正当な設置場所における基地局からの無線信号の標準的な受信状態に関する情報である基準受信情報と、基地局を識別する識別情報（基地局ＩＤ）とを含む情報である。第１実施形態の基準受信情報は、正当な設置場所において受信可能な基地局の数である。
【００３８】
移動無線端末５００は、基地局及び無線リンク終端装置１００と通信可能な携帯型の無線通信機器である。移動無線端末５００としては、例えば、携帯電話端末が例示できるが、パーソナルコンピュータ、携帯型ゲーム機器等、無線通信可能な携帯型の情報機器であれば、どのような形態であってもよい。
【００３９】
基地局（ＢＳ１，ＢＳ２，ＢＳ３，・・・）は、マクロ基地局、フェムトセル等の無線リンク終端装置を含めた、正しい位置に設置されている基地局である。基地局は、移動無線端末５００及び無線リンク終端装置１００との間で通信可能である。また、基地局は、それぞれ個別の識別情報として基地局ＩＤを保有している。
【００４０】
本実施形態の無線リンク終端装置１００は、上述したように、利用者が自ら設置可能あるいは容易に位置の変更が可能である。しかし、無線リンク終端装置１００は、無線電波を発信することから、不正な位置に設置している場合は電波を発してはならない。そこで、本実施形態では、無線リンク終端装置１００の設置場所の正当性の判定を行う。
以下、第１実施形態の無線通信システムにおける無線リンク終端装置１００の設置場所の正当性を判定する方法について説明する。
【００４１】
図２は、事前処理を示すフローチャートである。
本実施形態では、事前処理として、サービス事業者は、無線リンク終端装置１００の設置段階で、基地局の基地局ＩＤ、及び、設置場所で受信可能な基地局数を含む周辺基地局リストを作成し、装置のメモリ部１０３に記憶する。
ステップ（以下、単にＳとする）１０１では、利用者は、サービス事業者に対して、無線リンク終端装置１００の設置場所の住所を申請する。
Ｓ１０２では、周辺基地局リストを作成する。
第１実施形態の周辺基地局リストには、基地局の基地局ＩＤ、及び、設置場所で受信可能な基地局数を含んでいる。
【００４２】
なお、周辺基地局リストを無線リンク終端装置１００のメモリ部１０３へ設定する方法は、どのような方法であってもよい。例えば、周辺基地局リストを事業者のサーバに記憶しておき、ネットワークを介して無線リンク終端装置へ渡すこととしてもよい。
【００４３】
図３は、設置場所の判定動作を示すフローチャートである。
Ｓ２０１では、無線リンク終端装置１００は、設置されている場所において電源が投入される。
Ｓ２０２では、Ｓ２０４までのループを開始する。Ｓ２０２からＳ２０４までのループでは、基地局を順番にサーチして無線信号の受信を繰り返す。
【００４４】
Ｓ２０３では、無線リンク終端装置１００は、基地局をサーチし、無線信号を受信する。この処理は、制御部１０２が無線通信部１０１に周辺の基地局から送信されている電波を観測することを要求することにより行われる。観測後、無線通信部１０１は、基地局ＩＤ及び受信できた基地局の数を制御部１０２に応答する。
Ｓ２０４では、Ｓ２０２からのループを終了する。
【００４５】
Ｓ２０５では、制御部１０２は、受信した基地局ＩＤ及び受信できた基地局の数を、メモリ部１０３に記憶されている周辺基地局リストと照合し、無線リンク終端装置１００の設置されている位置が正常か否かを判定する（照合及び判定の方法については後述）。制御部１０２が、無線リンク終端装置１００の設置されている位置が正しいと判定したときは、制御部１０２は、無線通信部１０１からの電波の送信を許可し、移動無線端末５００との接続が可能となる（Ｓ２０６）。一方、無線リンク終端装置１００の設置されている位置が不正であると判定したときは、制御部１０２は、無線通信部１０１からの電波の送信は許可せず、再度、無線通信部１０１に基地局の電波を観測することを要求する（Ｓ２０２に戻る）。
【００４６】
第１実施形態では、周辺基地局リスト上で受信可能とされるひとつ以上の基地局ＩＤ、及び、無線リンク終端装置１００において実際に受信できたひとつ以上の基地局ＩＤを比較して、設置場所の正当性を判定する。
具体的な判定方法については、以下に複数例示するが、これだけに限るものではない。
【００４７】
（判定方法１−１：一般化）
判定方法１−１は、入力情報として、無線リンク終端装置１００において受信可能とされるひとつ以上の基地局ＩＤを列挙した周辺基地局リスト上と、無線リンク終端装置１００において実際に受信できた基地局ＩＤを利用し、出力として正しい位置か否かを判定及び出力する評価関数を設定して判断する方法である。ここで、評価関数は、制御部１０２において演算処理が実行される関数である。以下、他の評価関数についても同様とする。
【００４８】
（判定方法１−２：ポジティブ完全一致）
判定方法１−２は、周辺基地局リストと、実際に受信できたひとつ以上の基地局ＩＤの差分が無ければ正常な位置とみなす方法である。
【００４９】
（判定方法１−３：ポジティブ部分一致）
判定方法１−３は、周辺基地局リストと、実際に受信できたひとつ以上の基地局ＩＤが、予め設定した閾値の数以上一致した場合に、正常な位置とみなす方法である。
【００５０】
（判定方法１−４：ネガティブ判定）
判定方法１−４は、周辺基地局リストにない基地局ＩＤの信号を、予め設定した閾値の数以上、受信できた場合に、正常な位置ではないとみなす方法である。
【００５１】
（判定方法１−５：ポジティブ・ネガティブ両判定）
判定方法１−５は、実際に受信できたひとつ以上の基地局ＩＤを、周辺基地局リストにある基地局とリストにない基地局のふたつに分け、前者の数から後者の数を引いた差分が、予め設定した閾値の数以上受信できた場合に、正常な位置とみなす方法である。
【００５２】
以上説明したように、第１実施形態によれば、無線リンク終端装置１００は、周辺基地局リストと実際に受信できた基地局の基地局ＩＤ及び受信できた基地局の数を用いて、無線リンク終端装置１００が設置されている場所の正当性を判断する。したがって、無線リンク終端装置１００が屋内に設置されていたとしても、簡単かつ精度よく設置されている場所の正当性を判断できる。また、PlaceEngineを利用する場合のように、位置情報の管理及び保持をする必要もない。
【００５３】
（第２実施形態）
第２実施形態は、無線リンク終端装置１００が設置されている場所の正当性を判断する手法が異なる他は、第１実施形態と同様な形態をしている。よって、前述した第１実施形態と同様の機能を果たす部分には、同一の符号を付して、重複する説明を適宜省略する。
【００５４】
第２実施形態の制御部１０２は、各基地局から受信する無線信号の受信電力を設置場所の正当性判断に用いる。そこで、第２実施形態の周辺基地局リストには、設置場所での基地局からの無線信号の想定受信電力が基準受信情報として含まれている。
【００５５】
ここで、想定受信電力を設定して、周辺基地局リストを作成する方法は、以下に示す二通りあるが、これらのいずれか、あるいは両方の併用により作成する。
【００５６】
（周辺基地局リスト作成方法１）
想定受信電力を、事業者が実測して受信電力を調査した上で設定する方法。
【００５７】
（周辺基地局リスト作成方法２）
無線リンク終端装置１００を設置した位置と、その周囲に設置されている基地局情報から、無線リンク終端装置１００での受信電力を推定し設定する方法。
【００５８】
第２実施形態では、周辺基地局リストの想定受信電力、及び、実際に測定した受信電力を、予め設定した閾値毎に数段階にレベル分けを行い、判定を行う。
一般化をすると、入力としては、周辺基地局リスト（想定される受信電力が複数のレベルにおいて記録されている）と、実際に測定した受信電力とを入力として、正しい位置か否かを判定及び出力する評価関数となる。
【００５９】
第２実施形態の評価関数の例として、以下に３つの例を示すが、これだけに限るものではない。
なお、以下の説明では、受信電力のレベル分けの例として、非常に強い信号を◎（例えば、−５０ｄＢｍ以上）、強い信号を○（例えば、−６０ｄＢｍ以上）、中程度の信号を△（例えば、−７０ｄＢｍ以上）、弱い信号を×（例えば、−７０ｄＢｍ未満）とする。
【００６０】
＜評価関数例１：周辺基地局リストでは受信可能な基地局のみを判断材料とする＞
この評価関数例１では、周辺基地局リストに記載されている基地局ＩＤを持つ基地局からの信号のみで判定を行う。つまり、実際に測定できた受信電力のうち、周辺基地局リストに含まれている基地局ＩＤを持つ基地局のみを取り出し、計算の対象とする。評価関数例１として、以下に４つの具体例を示す。
【００６１】
（評価関数例１−１：重み付けによる判定）
この評価関数例１−１では、受信電力のレベル毎に重み付けを行い、判定を行う。例えば、◎３点、○２点、△１点として点数を割り当て、想定受信電力と実際の受信電力の各々の点数計算を行い比較し、差分が設定した閾値よりも下回った場合に正しい位置と判定する。
【００６２】
図４は、周辺基地局リストにおける基地局配置を例示する図である。
図４中で○を付した１から６の番号は、基地局ＩＤを示し、該当する基地局の位置を示している。また、同心円は、上記レベル分けの境界線を示している。また、同心円の中心に無線リンク終端装置１００があるものとする。実線の円内にある基地局からの受信電力は、◎であり、実線の円と破線の円との間にある基地局からの受信電力は、○であり、破線の円と一点鎖線の円との間にある基地局からの受信電力は、△である。正当な位置に無線リンク終端装置１００があれば、図４に示すような基地局配置となる。
【００６３】
図５は、不正な位置に無線リンク終端装置１００がある場合の実際の受信状況を例示する図である。図５に記載されている同心円は、図４と同様に受信電力を示している。
図６は、評価関数例１−１を説明するための、レベル分けを行った想定受信電力と実際の受信電力の例を示す図である。
なお、図６は、図４及び図５に示した状態における受信電力の例を示している。
【００６４】
なお、以下の説明において、周辺基地局リストで想定している受信電力に応じて上述の点数割り当てを行い合計した点数を、「想定Ｐ」と示し、実際に受信した受信電力に応じて上述の点数割り当てを行い合計した点数を、「実際Ｐ」と示す。
この評価関数例１−１では、｜想定Ｐ−実際Ｐ｜≦３点という関係を満たせば、無線リンク終端装置１００の設置位置が正当であると判断する。
【００６５】
図４から図６に示す場合において、点数を演算してみると以下のようになる。
想定Ｐ：
（◎：３点）×４基地局＝１２点
（○：２点）×１基地局＝２点
（△：１点）×１基地局＝１点
合計：１５点
【００６６】
実際Ｐ：
（◎：３点）×２基地局＝６点
（○：２点）×２基地局＝４点
（△：１点）×１基地局＝１点
合計：１１点
【００６７】
｜想定Ｐ−実際Ｐ｜＝４点
よって、上述の例では、無線リンク終端装置１００の設置位置は、不正な位置であるとみなす。
【００６８】
（評価関数例１−２：非常に強い受信電力の基地局数のみによる判定）
この評価関数例１−２では、周辺基地局リストでの想定受信電力が◎の基地局の数と、実際に測定した受信電力が◎の基地局の数との差分により判定する。
なお、以下の説明において、周辺基地局リストで想定している受信電力のうち◎レベルの基地局の数を、「想定◎」と示し、実際に受信した受信電力のうち◎レベルの基地局の数を、「実際◎」と示す。
【００６９】
この評価関数例１−２では、例えば、想定◎−実際◎≦１を満たすときに、無線リンク終端装置１００の設置位置が正当であると判断する。
図６の場合を例にして説明すると、以下のようになる。
想定◎−実際◎＝４−２＝２個
したがって、無線リンク終端装置１００の設置位置は、不正な位置であるとみなす。
【００７０】
（評価関数例１−３：非常に強い受信電力を期待できる基地局の受信電力で判定）
評価関数例１−３では、周辺基地局リストでの想定受信電力が◎の基地局に関して、実際に測定した受信電力が×となる基地局が、ある一定の個数以上であるときに、不正な位置とみなす。
【００７１】
図７は、評価関数例１−３を説明するためのレベル分けを行った想定受信電力と実際の受信電力の例を示す図である。
評価関数例１−３では、例えば、実際に測定した受信電力が×となる基地局が２個以上あったときに、無線リンク終端装置１００の設置位置は、不正な位置であると判断する。
図７に示す例では、周辺基地局リストで想定受信電力が◎であり、かつ、実際に測定した受信電力が×となる基地局が２個（ＢＳ２とＢＳ３）存在するため、無線リンク終端装置１００の設置位置は、不正な位置とみなす。
【００７２】
（評価関数例１−４：重み付けによる判定、その２）
評価関数例１−４では、周辺基地局リストの基地局のＩＤ毎に、想定される受信電力の点数と実際に測定した受信電力の点数との差の絶対値を求め、その合計が予め設定した閾値を下回る場合には正しい位置とみなす。ここでは、配点は、評価関数例１−１の場合と同様とする。
図６に示す例の場合、下記のような計算となる。
｜３−３｜＋｜３−３｜＋｜３−２｜＋｜３−２｜＋｜２−１｜＋｜１−０｜＝４
ここで、閾値が３の場合、４＞３となるため、不正な位置と判定する。
【００７３】
＜評価関数例２：周辺基地局リストでは受信不可能な基地局のみを判断材料とする＞
この評価関数例２として、以下に３つの具体例を示す。
【００７４】
（評価関数例２−１：周辺基地局リストにない基地局ＩＤの受信個数による判定）
評価関数例２−１では、実際に受信した受信電力において、周辺基地局リストにない基地局ＩＤを持つ基地局の数が、予め設定した、ある一定の個数（閾値）以上となる場合に不正な位置とみなす。
例えば、評価関数例２−１は、実際に受信した受信電力において、周辺基地局リストにない基地局ＩＤを持つ基地局が３個以上あるときに、無線リンク終端装置１００が不正な位置に設置されていると判断する。
図８は、評価関数例２を説明するためのレベル分けを行った想定受信電力と実際の受信電力の例を示す図である。
図８に示す例の場合、受信した基地局のうちで、周辺基地局リストにない基地局ＩＤを持つ基地局は、ＢＳ７と、ＢＳ８と、ＢＳ９と、ＢＳ１０の４個となるため、無線リンク終端装置１００の設置位置は、不正な位置とみなす。
なお、評価関数例２−１では、受信電力のレベルについては判定に用いていないので、この判定手法は、第１実施形態においても用いることができる。
【００７５】
（評価関数例２−２）
評価関数例２−２では、周辺基地局リストにない基地局ＩＤを持つ基地局のうち、非常に強い受信電力で受信できた基地局数により無線リンク終端装置１００の設置位置の正当性を判定する。
すなわち、実際に測定した受信電力において、周辺基地局リストにない基地局ＩＤを持つ基地局であって、かつ受信電力のレベルが◎となって受信できる基地局の数が、予め設定したある一定の個数（閾値）以上となる場合に、無線リンク終端装置１００の設置位置を不正な位置とみなす。
例えば、評価関数例２−２は、周辺基地局リストにない基地局ＩＤを持つ基地局であって、かつ受信電力のレベルが◎となって受信できる基地局の数が、２個以上であるときに、無線リンク終端装置１００の設置位置を不正な位置とみなす。
図８に示す例の場合、上記の条件を満たす基地局は、ＢＳ９及びＢＳ１０の２個となるため、無線リンク終端装置１００の設置位置を不正な位置とみなす。
【００７６】
（評価関数例２−３：重み付けによる判定）
評価関数例２−３では、実際に測定した受信電力において、周辺基地局リストにない基地局ＩＤを持つ基地局の受信電力の点数を合計し、合計した点数が予め設定したある一定の閾値以上となる場合に、無線リンク終端装置１００の設置位置を不正な位置とみなす。
例えば、評価関数例２−３は、周辺基地局リストにない基地局ＩＤを持つ基地局の受信電力の点数の合計が、５点以上となる場合に、無線リンク終端装置１００の設置位置を不正な位置とみなす。
図８に示す例の場合、以下のようになる。
（◎：３点）×２基地局＝６点
（○：２点）×２基地局＝４点
合計１０点
よって、無線リンク終端装置１００の設置位置を不正な位置とみなす。
【００７７】
＜評価関数例３：周辺基地局リストでは受信可能と不可能の基地局の両方を判断材料とする＞
評価関数例３では、周辺基地局リストを作成する際に、前述のような受信可能な基地局に加えて、受信不可能な基地局も同リストに含め、実際の測定での受信電力と照合及び判定することにより無線リンク終端装置１００の設置位置の正当性を判定する。
【００７８】
図９は、評価関数例３における判定方法を説明する図である。
例えば、周辺基地局リストにおいて、受信可能であると想定される基地局については、◎：＋３点、○：＋２点、△：＋１点、×：０点と配点する。また、受信不可能な基地局には、地理的な配置や距離等を考慮し、想定される受信電力に対応する点数として、負の値（例：−１〜−３、距離が非常に遠いものは−３）を割り当てる。
【００７９】
実際に測定した電力からの判定では、周辺基地局リストに列挙されている基地局ＩＤ毎に、想定される受信電力点数（＋３〜−３）と、実際に測定した受信電力の点数（＋３〜−１）を掛け合わせ、合計の点数で判定を行う。そして、合計の点数が、予め設定した閾値を上回る場合には、無線リンク終端装置１００の設置位置を正しい位置とみなす。
ここで、実際に測定した受信電力点数は、受信できた基地局については、前述のように＋３〜０を割当て、受信できなかった基地局については、−１を割り当てるものとする。
【００８０】
図９に示す例では、ＢＳ５とＢＳ６の基地局が受信できなかった場合を示しており、合計の点数は、下記のように計算できる。
（３×３）＋（３×２）＋（３×１）＋（２×３）＋（２×（−１））＋（（−１）×（−１））＝２３
ここで、図９に示す例では、閾値を２０としており、閾値２０を越える点数であった場合に、無線リンク終端装置１００の設置位置が正しい位置であると判定する。したがって、上記例では、無線リンク終端装置１００の設置位置は、正しい位置であると判定される。
【００８１】
以上説明したように、第２実施形態によれば、受信電力をレベル分けして無線リンク終端装置１００の設置位置の正当性判定に用いるので、第１実施形態よりも精度の高い判定を期待できる。また、レベル分けにより、判定のアルゴリズムをわかりやすくできる。
【００８２】
（第３実施形態）
第３実施形態は、第２実施形態のように受信電力によるレベル分けを行わずに、無線リンク終端装置１００において実際に測定した各基地局の受信電力値と、周辺基地局リストで想定されている受信電力値を用いて比較及び判定を行い、無線リンク終端装置１００の設置位置の正当性を判定する形態である。第３実施形態は、無線リンク終端装置１００が設置されている場所の正当性を判断する手法が異なる他は、第２実施形態と同様な形態をしている。よって、前述した第２実施形態と同様の機能を果たす部分には、同一の符号を付して、重複する説明を適宜省略する。
【００８３】
第３実施形態は、一般化すると、入力として周辺基地局リスト（基地局ＩＤと想定される受信電力）と、無線リンク終端装置１００において実際に測定した各基地局の受信電力とを受け取り、無線リンク終端装置１００の設置位置が正しい位置か否かを判定及び出力する評価関数となる。
以下、具体例を挙げて説明するが、これに限るものではない。
【００８４】
第３実施形態の評価関数は、例えば、無線リンク終端装置１００により測定した受信電力において基地局毎に、周辺基地局リストの対応する想定受信電力との差の絶対値を計算し、合計する。第３実施形態の評価関数は、この合計値が予め設定した閾値を下回れば正しい位置に設置されていると判定する。ただし、周辺基地局リストにおいて、測定した受信電力における基地局がひとつも対応しない場合には、正しい位置ではないと判定する。
【００８５】
図１０は、第３実施形態の評価関数が行う判定方法を説明する図である。
図１０に示す例において、閾値を８．０と設定したものとする。
この例では、合計値が７．８となるため、無線リンク終端装置１００の設置位置を正常な位置とみなす。
【００８６】
以上説明したように、第３実施形態によれば、受信電力の値をそのまま無線リンク終端装置１００の設置位置の正当性判定に用いるので、より細かい判定処理を行える。
【００８７】
（第４実施形態）
第４実施形態は、第１実施形態における制御部１０２及びメモリ部１０３に相当する制御部３０２及びメモリ部３０３をサーバ３００に備えた形態である。上記変更に伴い、第４実施形態は、装置の構成が異なっているが、制御部３０２及びメモリ部３０３が主に実行する無線リンク終端装置１００の設置位置の正当性判定動作については、第１実施形態から第３実施形態の場合と同様である。よって、前述した第１実施形態から第３実施形態と同様の機能を果たす部分には、同一の符号を付して、重複する説明を適宜省略する。
【００８８】
図１１は、通信システムの第４実施形態を示す図である。
第４実施形態の通信システムは、無線リンク終端装置２００と、サーバ３００と、移動無線端末５００と、複数の基地局（ＢＳ１，ＢＳ２，ＢＳ３，・・・）とを備えている。
【００８９】
無線リンク終端装置２００は、無線通信部２０１と、サーバ通信部２０４とを備える装置である。第４実施形態の無線リンク終端装置２００は、第１実施形態の無線リンク終端装置１００と同様に、利用者自身によって設置が可能あるいは容易に位置を変更することが可能な装置である。
【００９０】
無線通信部２０１は、アンテナ２０１ａを介して基地局からの無線信号を受信する。また、無線通信部１０１は、移動無線端末５００との通信も行う。
サーバ通信部２０４は、サーバ３００のアクセスポイント通信部３０１との間でネットワークを介して通信を行う。サーバ通信部２０４は、無線通信部２０１が受信した基地局からの無線信号をサーバ３００のアクセスポイント通信部３０１へ送信する。
【００９１】
サーバ３００は、ネットワークを介して、無線リンク終端装置２００と通信可能に設けられた装置である。サーバ３００は、アクセスポイント通信部３０１と、制御部３０２と、メモリ部３０３とを備えている。
【００９２】
アクセスポイント通信部３０１は、ネットワークを介して、無線リンク終端装置２００のサーバ通信部２０４と通信を行う。アクセスポイント通信部３０１は、無線リンク終端装置２００から受信した基地局からの無線信号を制御部３０２へ伝える。
【００９３】
制御部３０２は、第１実施形態から第３実施形態における制御部１０２と同様な動作を行い、無線リンク終端装置２００が設置されている場所の正当性を判定する制御手段である。
第４実施形態の制御部３０２が行う具体的な判定方法については、第１実施形態から第３実施形態に記載したいずれの手法を用いてもよい。
【００９４】
メモリ部３０３は、第１実施形態から第３実施形態におけるメモリ部１０３と同様に、周辺基地局リストを記憶するリスト記憶手段である。
【００９５】
以上説明したように、第４実施形態では、制御部３０２とメモリ部３０３とをサーバ３００に設けたので、無線リンク終端装置２００への負担を軽減でき、無線リンク終端装置２００をより簡素な構成とすることができる。
【００９６】
なお、無線リンク終端装置又はサーバの処理をコンピュータ読み取り可能な記録媒体に記録し、この記録媒体に記録されたプログラムを無線リンク終端装置又はサーバに読み込ませ、実行することによって本発明の無線リンク終端装置、サーバ、無線リンク終端装置の設置場所の正当性を判定する方法を実現することができる。ここでいうコンピュータシステムとは、ＯＳや周辺装置等のハードウェアを含む。
【００９７】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００９８】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００９９】
以上、この発明の実施形態につき、図面を参照して詳述してきたが、具体的な構成はこの実施形態に限られるものではなく、この発明の要旨を逸脱しない範囲の設計等も含まれる。
【０１００】
（変形形態）
第４実施形態において、無線リンク終端装置２００とサーバ３００とは、１対１で接続されている例を挙げて説明したが、これに限らず、サーバ３００に対して、多数の無線リンク終端装置２００が接続されていて、サーバ３００は、接続されている全ての無線リンク終端装置２００の設置位置の正当性を判定するようにしてもよい。
【０１０１】
なお、第１実施形態から第４実施形態及び変形形態は、適宜組み合わせて用いることもできるが、詳細な説明は省略する。
【符号の説明】
【０１０２】
１００    無線リンク終端装置
１０１    無線通信部
１０１ａ  アンテナ
１０２    制御部
１０３    メモリ部
２００    無線リンク終端装置
２０１    無線通信部
２０１ａ  アンテナ
２０４    サーバ通信部
３００    サーバ
３０１    アクセスポイント通信部
３０２    制御部
３０３    メモリ部
５００    移動無線端末
ＢＳ１，ＢＳ２，ＢＳ３，・・・    基地局
【図１】
2011166690.tif 000003
【図２】
2011166690.tif 000004
【図３】
2011166690.tif 000005
【図４】
2011166690.tif 000006
【図５】
2011166690.tif 000007
【図６】
2011166690.tif 000008
【図７】
2011166690.tif 000009
【図８】
2011166690.tif 000010
【図９】
2011166690.tif 000011
【図１０】
2011166690.tif 000012
【図１１】
2011166690.tif 000013